(57)【特許請求の範囲】
【請求項１】
コネクティングロッドの大端部（２）等の環状部品に亀裂を入れて分割する装置であって、
環状部品によって形成される穴部に係合する固定および可動拡大用顎部（８，１０）を含み、
前記拡大用顎部（８，１０）の周囲面領域は、前記拡大用顎部（８，１０）が、正確に位置付けされた部分表面領域または線部を介してのみ前記穴部（１２）の内部表面領域に係合するように構成され、前記部分表面領域または線部は前記穴部（１２）の円周方向に延び、前記拡大用顎部（８，１０）の周辺面領域は、大端部（２）の軸方向にみた場合に樽形又は円錐形に形成されることを特徴とし、
さらに前記拡大用顎部（８，１０）を離すように付勢する拡大手段を含む装置。
【請求項２】
コネクティングロッドの大端部（２）等の環状部品に亀裂を入れて分割する装置であって、
環状部品によって形成される穴部に係合する固定拡大用顎部（１０）および可動拡大用顎部（８）を含み、
前記拡大用顎部（８，１０）の周囲面領域は、前記拡大用顎部（８，１０）が、正確に位置付けされた部分表面領域または線部を介してのみ前記穴部（１２）の内表面領域に係合するように構成され、かつ前記拡大用顎部（８，１０）の半径（Ｒ）は前記穴部（１２）の半径（ｒ）よりも大きく、
さらに前記拡大用顎部（８，１０）を離すように付勢する拡大手段を含む装置。
【請求項３】
前記拡大用顎部（８，１０）は実質的に半円形断面をもつ表面領域を有することを特徴とする、請求項１または２に記載の装置。
【請求項４】
前記部分表面領域は、前記穴部（１２）の軸方向かつ円周方向に延びることを特徴とする、請求項１または２に記載の装置。
【請求項５】
前記拡大用顎部（８，１０）は共に動作する状態で実質的に楕円形の断面形状を有し、楕円形の断面形状の長軸は大端部の長手方向を横切るように延びることを特徴とする、請求項１から４のいずれかに記載の装置。
【請求項６】
前記穴部（１２）の軸方向に延びる正確に位置付けされた部分表面領域または線部が、前記大端部（２）の長手方向を横切るように走る亀裂面（ＳＥ）であって、２つの対向する亀裂開始クレバス（Ｓ）によって規定される面上に実質的に位置し、亀裂分割するときに割り力がまず前記大端部（２）の前記亀裂開始クレバス（Ｓ）領域に伝えられ、前記穴部（１２）が前記大端部（２）の長手方向を横切る方向に拡大されることを特徴とする、請求項５に記載の装置。
【請求項７】
前記拡大用顎部（８，１０）の半径（Ｒ）は前記穴部（１２）の半径（ｒ）より大きく選択されることを特徴とする、請求項１、３、４または５に記載の装置。
【請求項８】
前記拡大用顎部（８，１０）の周辺面領域に弾性材が配置されることを特徴とする、請求項１、３、４、５、または７に記載の装置。
【請求項９】
弾性材はゴムであることを特徴とする、請求項８に記載の装置。
【請求項１０】
弾性材は５０〜９５のショア硬さをもつことを特徴とする、請求項８または９に記載の装置。
【請求項１１】
弾性材は穴部より短い長さのスリーブを形成することを特徴とする、請求項８、９または１０に記載の装置。
【請求項１２】
スリーブは穴部の内表面領域に対して中央に配置されることを特徴とする、請求項１１に記載の装置。
【請求項１３】
各拡大用顎部は、それぞれ拡大用顎コア部と拡大用顎シェル部（３０，３２）を含む二部分で構成され、拡大用顎シェル部の外表面領域は前記穴部（１２）の内表面領域に係合することを特徴とする、請求項１から１２のいずれかに記載の装置。
【請求項１４】
前記拡大用顎シェル部（３０，３２）は拡大用顎コア部に着脱可能に接続されることを特徴とする、請求項１３に記載の装置。
【請求項１５】
前記拡大用顎シェル部（３０，３２）は回り部品をリング片部に分割して作られることを特徴とする、請求項１３または１４に記載の装置。
【請求項１６】
各拡大用顎シェル部は一縁にフランジ（３２）を含むことを特徴とする、請求項１３から１５のいずれかに記載の装置。
【請求項１７】
半シェル部を固定し中心決めする穴または半穴（３４）が、前記フランジ（３２）中であって装置の可動部（１４）または固定部（１６）上に設けられることを特徴とする、請求項１６に記載の装置。
【発明の詳細な説明】
【０００１】
本発明は、コネクティングロッドの大端部などの環状部品を、該環状部品によって形成される穴部に係合する固定および可動の拡大用顎部（エキスパンダージョー）、および拡大用顎部を離すように付勢する拡大手段（エキスパンダー手段）によって亀裂を入れて分割する装置に関する。
【０００２】
この類の装置は欧州特許０３９６７９７号および０６６１１２５号等から公知である。かかる装置は、一体成形された環状部品、ここではコネクティングロッドの大端部を、二部分つまりキャップとロッドとに割ることにより、環状部品を分割するものである。これら先行技術の装置は拡大用顎部を含み、その周囲面領域が穴部の内面領域すなわち大端穴部の内面領域に完全に接する。このような拡大用顎部と穴部との完全接触が、きちんとした分割には一般に必要と考えられている。
【０００３】
英国特許ＧＢ−Ａ−７２４３５８は、特別な環状部品（すなわち玉軸受の溝）を部品周囲の一カ所で亀裂を入れて分割する装置を開示している。装置は２つの可動拡大用顎部を備え、各拡大用顎部は環状部品によって形成される穴部に係合する半円形の断面をもつ。拡大用顎部の外表面領域は、穴部の内表面領域ときちんとほぼ完全に接するように取り付けられる。伸張を行うには、２つの拡大用顎部の間にくさびが駆動される。一方の拡大用顎部、ここでは第１拡大用顎部と呼ばれるほうの周囲面だけは、その外周の規定された一部分が、正確に位置付けされた部分表面領域または点を介してのみ穴部の内表面領域に係合するように構成される。この部分表面領域または点（双方の拡大用顎部のほぼ円形の全外周表面領域に対して測定した場合）は、第１の拡大用顎部の約９０゜にわたるへこんだ領域（dished area）によって得られ、ここでは「ボタン状の突起」以外は第１の拡大用顎部の外周面領域と穴部の内表面領域とは接しない。第１の拡大用顎部の残りの部分と第２の拡大用顎部のほぼすべての部分は、合計約２７０゜の範囲にわたって穴部の内表面領域と完全に接している。「ボタン状の突起」が穴部の内表面領域と本質的に部分的にのみ接している箇所では、環状部品の外周に部品が分割されるべき位置を定める亀裂用の切欠きが設けられる。第１の拡大用顎部の外周面領域の残りの部分と第２の拡大用顎部のほぼすべての外周面領域は、約２７０゜の角度範囲にわたって穴部の内表面領域とほぼ完全に接している。伸張の際は、本公報から判断すると、まず環状部品がその全周にわたって引っ張られる。拡大用顎部をさらに拡張すると、部品の突起付近の部分にわずかな曲がりが生じる。この（垂直）応力と曲げ応力との組み合わせ荷重によって、環状部品は一つの亀裂切欠きを介して一カ所で分割され、対向する２つの亀裂端をもつＣ字型の構成が実現する。
【０００４】
本発明の目的は、環状部品に亀裂を入れて分割する装置であって、亀裂反応により明確に影響を与えることができ、特に部品の臨界位置で適当な装置を提供し、また硬さが一定でない材質や非常に硬い材質の部品を亀裂分割する場合においてもより優れた最終結果を得る装置を提供することである。本発明の装置はさらに、従来の装置においてよくみられた「収縮効果」を効果的になくすことを意図している。
【０００５】
この目的は、独立請求項１または２に記載する特徴部分を有する、本発明に従う装置によって達成される。
【０００６】
本発明の装置の他の利点は、前掲の従属請求項の主題である。
【０００７】
検査結果によれば、拡大用顎部の周囲面と穴部の内表面領域とが完全に接する場合は最良の亀裂分割は必ずしも達成されない、という意外な結果が示されている。反対に、環状部品の材質とその亀裂反応、および亀裂を入れる表面領域の構成等の他のパラメータによっては、割り力（cracking force）を当該部品の特定の部分表面領域または線にだけ導入することが有利な場合もありうる。
【０００８】
従って、割り力を表面領域の一部または線部に限定して穴部の軸方向または円周方向に導入するのが得策と考えられる。特殊な事例では、割り力を軸方向かつ円周方向に導入するのが有利とわかる場合もありうる。
【０００９】
検査結果によれば、意外なことにかかる構成は、先行技術の装置でしばしば見られるような、亀裂面内に穿孔や穴等を含む厄介な形状がある場合に発生する二重割れ、細片、およびギザギザ（snags）を回避できることが示されている。そして例えば大端部には、亀裂表面領域中に、分割後にキャップとロッドをボルトでつなぐための２つの穴が設けられている。分割が開始されると、亀裂は、コネクティングロッド製造時に設けられた穴部の内表面領域中の亀裂開始クレバスから外向きのボルト穴の周りを走り、亀裂は亀裂面を再結合するべくボルト穴の背後に走る。しかし亀裂面はボルト穴の両側で自動的に同一面中には広がらないので、亀裂面を再結合した際に二重割れ、細片、およびギザギザが発生しうる。だがこのような二重割れ、細片、およびギザギザは排除するべきである。
【００１０】
割り力がそこに沿って導入される部分表面領域または線部の形成は、基本的には多くの方法によって可能である。特定の構成および位置付けは試行錯誤を重ねることによって定義または最適化されうる。
【００１１】
従って、例えば穴部の軸方向に見た場合に拡大用顎部の部分表面領域は円筒形でもよいし円錐形でもよい。また拡大用顎部の半径も、いわゆる収縮効果を補うために環状部品の穴部の半径よりも大きく選択してもよい。
【００１２】
特定の応用においては、拡大用顎部の周囲面領域に弾性材を用いるのが好適な場合もある。この弾性材は全周にわたって設けてもよいが、好適には部分的にのみ用いる。検査結果が示すところでは、応用方法によって弾性材は５０〜９５のショア硬さ（Shore A）をもってもよい。
【００１３】
特別の応用においては、弾性材をスリーブ状に形成するのが有利な場合もある。このスリーブは例えば穴部の内表面領域に対して中心決めされてもよい。
【００１４】
弾性材の配置により、亀裂の広がりを制御できないことによってもたらされるピーク応力を防止することができる。また弾性材の配置は、機械加工されていない状態で環状部品の穴部を分割しなければならない場合に特に適している。
【００１５】
また応用によっては、弾性材を弾性部分として拡大用顎部の周囲面領域上に配置してもよい。
【００１６】
請求項１の前文に記載した特徴を有する装置においては、拡大手段はまた、各拡大用顎部が二部分、すなわち拡大用顎コア部と拡大用顎シェル部（殻部）とからなり、シェル部の外表面領域が環状部品の穴部の内表面領域と係合するように構成してもよい。
【００１７】
この構成は前述の構成とは独立して保護を要求するものであるが、この構成の拡大用顎シェル部の外表面領域は円筒形でもよいし、かつ請求項１の特徴部分または請求項２から請求項１３に従って構成されてもよい。
【００１８】
拡大用顎部をコア部とシェル部とから構成する利点は、これにより装置を形状およびサイズの異なる複数の環状部品に非常に簡単に適合することができ、これには単に拡大用顎シェル部だけを変えればよく、拡大手段を含む拡大用顎コア部の変更は必要ないことである。
【００１９】
本発明に従う構成はまた、拡大用顎シェル部を交換するだけで、亀裂反応に影響を与えられる（変えられる）。このため、同型の環状部品に特定の亀裂の形成が必要な場合、拡大用顎シェル部を形状の異なる外表面を有する別のシェル部と交換して、所望する最適な亀裂反応が得られるまでくり返すことができる。
【００２０】
拡大用顎シェル部は多数の方法で製造可能である。非常に簡単で安価な製造例としては、拡大用顎シェル部は旋削部品として加工され、その後、２つ以上のリング部に分割される。
【００２１】
原則として、拡大用顎シェル部またはそのリング部は、各種方法で拡大用顎コア部に取り付けることが可能だが、各拡大用顎シェル部の一辺に、締めボルトやクイックリリースファスナ等の保持手段を受けるのに適したフランジを設けることが有利である。
【００２２】
以上のように、本発明は亀裂の開始および広がりが規定されるように環状部品に割り力を導入し（伝え）、これにより本発明の手段によって亀裂反応に正確に影響を与えられるようにする。このため、本発明に従って拡大用顎部の形状を変えれば、環状部品中の穴部や穴が機械加工されていない状態でも、あら削りまたは仕上げ状態のいずれにおいても、亀裂反応に影響を与えることができる。
【００２３】
次に本発明をよりよく理解するため、添付の図面を参照して本発明の詳細な説明を行う。
【００２４】
まず図１を参照すると、環状部品の一例として、ロッド４とキャップ６とに分割するコネクティングロッドの大端部２を装置に設置した様子が示され、これについては欧州特許０３９６７９７号に詳細に記載されている。
【００２５】
大端部２のロッド４とキャップ６との分割には、キャップ６とロッド４とからなる円筒形の大端穴部１２として形成される穴部の内部における可動拡大用顎部８と固定拡大用顎部１０との作用が不可欠である。可動拡大用顎部８は装置の可動部１４に取り付けられ、固定拡大用顎部１０は同装置の固定部１６に取り付けられる。ロッド４とキャップ６とを分割するには、装置の固定部１６に衝突する撃針（striker）等の手段によって、装置のこれら二部分１４，１６が離れるように急激に駆動される。または、２つの拡大用顎部８，１０の中心に軸方向に設けられた切欠き１８に係合し、かつこの切欠き１８中へ急激に駆動される開裂くさび（図示せず）を用いても分割を行うことができる。
【００２６】
図１および図２に示す実施形態では、２つの拡大用顎部８，１０はほぼ半円形の断面をもつ。図１のＩ−Ｉ線に沿って切り取った長手方向の断面を示す図２に明示されているように、本実施形態の拡大用顎部８，１０は樽形（バレル形）に構成されており、大端穴部１２の中央に拡大用顎部８，１０の最大半径がくるように配置されている。
【００２７】
本実施形態では、最大半径をもつ箇所は大端穴部１２の軸方向の高さＨの約１０％である幅Ｂにわたっており、このため大端穴部１２の正確に規定された中央部分に拡大力が導入される。この構成は、部分的に硬度が高く亀裂が不規則にはじまる危険性をもつ、硬さが一定でない材質に特に適している。
【００２８】
次に図３を参照すると、本発明の他の実施形態が、図１のＩ−Ｉ線に沿って切り取った長手方向の断面で概略的に示される。本実施形態の拡大用顎部８，１０もまた、ほぼ半円形の断面をもつ。だがこの第２実施形態に従って構成される拡大用顎部８，１０は円錐形に形成される。大端穴部１２の直径が２つの拡大用顎部８，１０の外径にほぼ対応する部分において、大端部２は大端穴部１２領域中で拡大用顎部８，１０に接する。装置の固定部１６に配置された円筒形の保持要素２０は、小端穴部２２中へ突き出している。大端部２と装置の固定部１６との間には、保持要素２０の長手方向に移動可能な支持部２４が配置される。この配置によって、キャップ６をロッド４から分割する際に、小端部と大端部双方の穴部の中心線が装置の可動部１４の移動方向に対してきっちり直角に位置するように大端部２を支持可能となる。うまく亀裂を入れるにはこの位置が重要である。支持部２４は高さ調節可能なので、大端部と小端部の穴部中心線が同一面中にない場合でも、この位置を確保できる。
【００２９】
大端部２を支持することにより、円錐形の拡大用顎部８，１０と大端穴部１２とは同心に配置され、すなわち大端穴部１２の外縁に直線状に力が伝えられることになる。
【００３０】
キャップ６をロッド４から分離する２つの拡大用顎部８，１０が離れるように駆動されると、大端穴部１２の外周からほぼその中心線に沿って亀裂が広がる。大端穴部の縁の非常に細い線に沿って力が伝えられるため、本実施形態は非常に硬質の材料から作られるコネクティングロッドに特に適している。ただしそれほど硬くない材料から作られるコネクティングロッドの大端部も、本実施形態の手段で分割することができる。分割中に大端部の円周面が変形するのを防ぐために、大端部の外縁に相面（すなわち面取り部）を設けてもよい。
【００３１】
次に図４を参照すると、本発明のさらに他の実施形態が示される。本実施形態においても、拡大用顎部８，１０はほぼ半円形の断面を有するが、上記で説明した拡大用顎部８，１０とは異なり、これらの拡大用顎部は円筒形に形成される。したがって、拡大用顎部８，１０は長さ全体を通じて一定の半径をもつ。
【００３２】
しかし図４に示す実施形態では、拡大用顎部８，１０の半径Ｒは大端部１２の半径ｒよりも大きく、このため組合わさった状態では、拡大用顎部の断面は略楕円形となる。
【００３３】
この楕円形の断面のために、分割時の割り力は、まず大端部の亀裂開始クレバスＳ領域中に伝えられるので、大端部は分割中に大端部の長手方向を横切る方向に「拡大」される。この「拡大」が、分割時に大端部中でしばしば発生し、かつ解放される応力によって引き起こされる「収縮」を打ち消す。
【００３４】
次に図５を参照すると、本発明の最後の第４実施形態が示され、ここでは弾性材２６が接着（cementing）または塗布によって拡大用顎部８，１０の周囲面領域に取り付けられている。弾性材２６をこのように配置することによって、機械加工されていない大端穴部をもつ大端部を分割する際、または分割に汚れ（soilage）が関与する場合に発生するピーク応力を防止できる。また拡大用顎部８，１０を取り囲む弾性材２６には、分離駆動された際に装置の部分１４，１６が保護されるという他の利点もある。
【００３５】
次に図６を参照すると、拡大用顎シェル部用のブランク（素材）の長手方向の断面が示される。分割前のブランクは、シェル部３０とフランジ部３２とを含む。シェル部３０は丸い円筒形の内表面領域をもち、その半径は対応する拡大用コア部の半径に対応する。本実施形態では、シェル部３０の外表面領域は、通常は１゜未満の角度で円錐形にテーパ付けされている。それに加えて、上面は大端穴部を拡大用顎部に取り付けるのを容易にするために面取りされている。
【００３６】
リング部を形成するため拡大用顎シェル部はＴ−Ｔ線に沿って分割され、２つの同一の半シェル部が得られる。これら半シェル部を装置の可動部１４および固定部１６に取り付け、かつ中心決めするために、フランジ部３２に穴または半穴３４が設けられる。
【００３７】
この構成によって装置を簡単に形状およびサイズの異なる大端部の分割に適合でき、これにはリング部または半シェル部を取り外して他サイズのものと交換するだけでよい。従って、拡大手段の全要素とともに拡大用コア部を変形または変更する必要はない。
【００３８】
さらに、拡大用顎シェル部を利用することによって、必要に応じて亀裂反応に簡単な方法および手段で影響を与えることができる。各事例で特定の亀裂を得るには、所望する亀裂反応にもっとも好都合な外表面領域をもつリング部または半シェル部を利用すればよいだけである。
【図面の簡単な説明】
【図１】  本発明に従う装置の第１実施形態の主要部分を示す概略平面図である。
【図２】  図１のＩ−Ｉ線に沿って切り取った長手方向の概略断面図である。
【図３】  本発明の第２実施形態を図１のＩ−Ｉ線に沿って切り取った長手方向の概略断面図である。
【図４】  本発明の第３実施形態の拡大用顎部の一部を拡大した概略平面図である。
【図５】  本発明の第４実施形態を図１のＩ−Ｉ線に沿って切り取った長手方向の概略断面図である。
【図６】  リング部を取りはずす前の拡大用顎シェル部の長手方向の断面図である。
【図７】  図６の拡大用顎シェル部の平面図である。
【符号の説明】
２  コネクティングロッド大端部、４  コネクティングロッドのロッド、６コネクティングロッドのキャップ、８  可動拡大用顎部、１０  固定拡大用顎部、１２  大端穴部、３０  拡大用顎シェル部、３２  拡大用顎部フランジ部。
【図１】
0004294855.tif 000002
【図２】
0004294855.tif 000003
【図３】
0004294855.tif 000004
【図４】
0004294855.tif 000005
【図５】
0004294855.tif 000006
【図６】
0004294855.tif 000007
【図７】
0004294855.tif 000008